(57)【要約】【課題】本発明は、隣接する遊技機間に高性能のエアーカーテンを形成できるようにすることを目的とする。【解決手段】本発明は、遊技機間にエアーカーテンを形成する送風装置であって、前面に上下方向に延びるスリット状の空気吹出し口４８，２２５，２５５を備え、側面に空気の吸引口２２９を備える箱型のケース２０と、略軸状に形成されて、軸心回りに回転可能な構成の羽根３２を備え、その羽根３２の軸心方向を上下方向に一致させた状態でケース２０内に設置されているファン３０と、ファン３０の運転により圧送された空気をスリット状の空気吹出し口４８，２２５，２５５まで導く空気ダクト４０とを有しており、空気ダクト４０は、ファン３０の位置から空気吹出し口４８，２２５，２５５までの間で空気流路を徐々に絞れるように構成されている。【選択図】図３
2015073788.tif 000002
【特許請求の範囲】
【請求項１】
隣接する遊技機間に設置されており、前方に向かって空気を吹出すことで、それらの遊技機間にエアーカーテンを形成する送風装置であって、
前面に上下方向に延びるスリット状の空気吹出し口を備え、側面に空気の吸引口を備える箱型のケースと、
略軸状に形成されて、軸心回りに回転可能な構成の羽根を備え、その羽根の軸心方向を上下方向に一致させた状態で前記ケース内に設置されているファンと、
前記ファンの運転により圧送される空気をスリット状の空気吹出し口まで導く空気ダクトとを有しており、
前記空気ダクトは、前記ファンの位置から前記空気吹出し口までの間で空気流路を徐々に絞れるように構成されていることを特徴とする送風装置。
【請求項２】
請求項１に記載された送風装置であって、
前記空気ダクトは、前記ファンの位置から前記空気吹出し口までの間で上下方向に拡開するように構成されていることを特徴とする送風装置。
【請求項３】
請求項１又は請求項２のいずれかに記載された送風装置であって、
前記空気ダクトの内部には、その空気ダクトを通る空気を水平前方に導く水平ガイド壁と、前記空気を斜め下前方に導く下向ガイド壁と、前記空気を斜め上前方に導く上向ガイド壁とが設けられていることを特徴とする送風装置。
【請求項４】
請求項３に記載された送風装置であって、
前記水平ガイド壁と下向ガイド壁間の間隔と、前記水平ガイド壁と上向ガイド壁間の間隔とが等しい値に設定されていることを特徴とする送風装置。
【請求項５】
請求項１から請求項４のいずれかに記載された送風装置であって、
前記空気ダクトには、前記ファンを駆動させるモータの近傍に空気放出部が形成されていることを特徴とする送風装置。
【発明の詳細な説明】
【技術分野】
【０００１】
本発明は、パチンコ店、ゲームセンタ等の遊技場において、隣接する遊技機間に設置されており、前方に向かって空気を吹出すことで、それらの遊技機間にエアーカーテンを形成する送風装置に関する。
【背景技術】
【０００２】
パチンコ店等の遊技場には多くの遊技機が並設されている。このため、例えば、ある遊技機で遊技している遊技者のタバコの煙が隣りの遊技者側に流れ、隣の遊技者に不愉快な思いをさせることがある。これを防止するため、隣接する遊技機間でエアーカーテンを形成してタバコの煙等を遮る送風装置が考案されている。
特許文献１の送風装置１００は、並設されている遊技機間の隙間に収納できるように、図１０（Ａ）に示すように、ケース１０２が幅狭の箱型に形成されており、そのケース１０２の前面にスリット状の空気吹出し口１０４が上下方向に延びるように形成されている。前記ケース１０２の上部側面には、図１０（Ｂ）に示すように、空気吸引口１０２ｈが形成されており、その空気吸引口１０２ｈの内側に扇風機状のファン１０６が設けられている。ファン１０６が運転されると、空気吸引口１０２ｈからケース１０２内に空気が流入して内圧が上昇し、ケース１０２内の空気がスリット状の空気吹出し口１０４から前方に吹出される。これにより、遊技機間にエアーカーテンが形成されるようになる。
【先行技術文献】
【特許文献】
【０００３】
【特許文献１】実用新案登録第３１３０６７５号公報
【発明の概要】
【発明が解決しようとする課題】
【０００４】
しかし、上記送風装置１００では、ケース１０２の上部側面に扇風機状のファン１０６が形成されているため、ケース１０２の上側で内圧が比較的高く、ケース１０２の下側では内圧が比較的低くなる。このため、ケース１０２の空気吹出し口１０４から吹出される空気も上側で比較的強く、下側で弱くなる。しかし、遊技機に備え付けられた灰皿は遊技面に対して低い位置にあるため、ケース１０２の空気吹出し口１０４から吹出される空気が低い位置で弱くなると、タバコの煙を効率的に遮断できなくなる。
さらに、ファン１０６による空気の吸入方向と、空気吹出し口１０４からの空気の吹出し方向とが直角になるため、圧損が大きく、空気吹出し口１０４から吹出される空気の流速（勢い）が低下する。
【０００５】
本発明は、上記問題点を解決するためになされたものであり、本発明が解決しようとする課題は、隣接する遊技機間に高性能のエアーカーテンを形成できるようにすることである。
【課題を解決するための手段】
【０００６】
上記した課題は、各請求項の発明によって解決される。
請求項１の発明は、隣接する遊技機間に設置されており、前方に向かって空気を吹出すことで、それらの遊技機間にエアーカーテンを形成する送風装置であって、前面に上下方向に延びるスリット状の空気吹出し口を備え、側面に空気の吸引口を備える箱型のケースと、略軸状に形成されて、軸心回りに回転可能な構成の羽根を備え、その羽根の軸心方向を上下方向に一致させた状態で前記ケース内に設置されているファンと、前記ファンの運転により圧送された空気をスリット状の空気吹出し口まで導く空気ダクトとを有しており、前記空気ダクトは、前記ファンの位置から前記空気吹出し口までの間で空気流路を徐々に絞れるように構成されていることを特徴とする。
【０００７】
本発明によると、ファンの羽根は、略軸状に形成されて、軸心回りに回転可能な構成であり、軸心方向を上下方向に一致させた状態でケース内に設置されている。このため、ファンの運転時にケース内の上下方向で空気圧の強弱が生じ難くなる。
さらに、ファンにより圧送された空気を空気吹出し口まで導く空気ダクトは、ファンの位置から空気吹出し口までの間で空気流路を徐々に絞れるように構成されている。このため、空気吹出し口から前方に向かって吹出される空気の流速が大きくなる。
即ち、空気吹出し口から空気を大きな流速で、かつ上下方向に均一に吹出せるようになり、高性能のエアーカーテンを形成できる。
【０００８】
請求項２の発明によると、空気ダクトは、ファンの位置から空気吹出し口までの間で上下方向に拡開するように構成されていることを特徴とする。
このため、上下方向に広い範囲で空気を吹出せるようになる。
【０００９】
請求項３の発明によると、空気ダクトの内部には、その空気ダクトを通る空気を水平前方に導く水平ガイド壁と、前記空気を斜め下前方に導く下向ガイド壁と、前記空気を斜め上前方に導く上向ガイド壁とが設けられていることを特徴とする。
即ち、各々のガイド壁により、空気ダクトを通る空気を確実に水平前方、下前方、及び上前方に導くことができる。
請求項４の発明によると、水平ガイド壁と下向ガイド壁間の間隔と、水平ガイド壁と上向ガイド壁間の間隔とが等しい値に設定されていることを特徴とする。
このため、上下方向にほぼ等しい量の空気を吹出せるようになる。
【００１０】
請求項５の発明によると、空気ダクトには、ファンを駆動させるモータの近傍に空気放出部が形成されていることを特徴とする。
これにより、前記モータの近傍で空気が放出されるようになり、そのモータを冷却できるようになる。
【発明の効果】
【００１１】
本発明によると、隣接する遊技機間に高性能のエアーカーテンを形成できるようになる。
【図面の簡単な説明】
【００１２】
【図１】本発明の実施形態１に係る送風装置を右前方から見た斜視図（Ａ図）、左前方から見た斜視図（Ｂ図）である。
【図２】前記送風装置の正面図である。
【図３】前記送風装置の分解斜視図である。
【図４】前記送風装置の縦断面図（図２のIV-IV矢視断面図）である。
【図５】図４のV-V矢視平断面図である。
【図６】前記送風装置のファンを構成する羽根の模式平断面図である。
【図７】前記送風装置の空気ダクト、及び縦長ファンの上部拡大斜視図である。
【図８】前記送風装置の電気回路の模式図である。
【図９】本実施形態に係る送風装置が設置されるパチンコ店の島設備を表す正面図である。
【図１０】従来の送風装置を表す正面図（Ａ図）、側面図（Ｂ図）である。
【発明を実施するための形態】
【００１３】
［実施形態１］
以下、図１から図９に基づいて本発明の実施形態１に係る送風装置１０について説明する。
本実施形態に係る送風装置１０は、図９に示すように、パチンコ店の島設備２において、隣接するパチンコ機５間に設置されており、前方に向かって空気を吹出すことで、それらのパチンコ機５間にエアーカーテンを形成する装置である。
ここで、図中に示す前後左右、及び上下は、遊技者側から見た送風装置１０の前後左右、及び上下に対応している。
【００１４】
＜送風装置１０の概要について＞
本実施形態に係る送風装置１０は、図１に示すように、幅狭で縦長の箱型に形成されたケース２０と、図３に示すように、ケース２０に収納された縦長ファン３０と、空気ダクト４０と、縦長ファン３０のモータ３６を駆動させる電気回路５０とから構成されている。
【００１５】
＜ケース２０について＞
ケース２０は、図３に示すように、そのケース２０の前面板２２ｆ、右側面板２２ｓ、及び背面板２２ｂを構成する右側ケース片２２と、前記ケース２０の上面板２４ｕ、左側面板２４ｓ、及び下面板２４ｄを構成する左側ケース片２４とから構成されている。右側ケース片２２と左側ケース片２４とは、共に鋼板を断面コ字形に折り曲げることにより成形されている。そして、右側ケース片２２の前面板２２ｆ、背面板２２ｂの幅寸法は、左側ケース片２４の上面板２４ｕ、下面板２４ｄの幅寸法と等しい値に設定されている。また、右側ケース片２２の右側面板２２ｓ、背面板２２ｂの高さ寸法は、左側ケース片２４の左側面板２４ｓの高さ寸法と等しく設定されている。そして、右側ケース片２２の前面板２２ｆの高さ寸法が右側面板２２ｓ、背面板２２ｂ等の高さ寸法よりも所定寸法だけ大きく設定されている。
このため、右側ケース片２２と左側ケース片２４とが互いに組み合わされてネジ止めされることで、ケース２０は、図１に示すように、幅狭で縦長の箱型に形成される。さらに、右側ケース片２２の前面板２２ｆは、ケース２０（左側ケース片２４）の上面板２４ｕ、下面板２４ｄに対して一定寸法だけ上下方向に張り出すようになる。
【００１６】
ケース２０（右側ケース片２２）の前面板２２ｆには、図３に示すように、上から順番にスイッチ用開口２２１、芳香剤用開口２２３、空気吹出し口２２５、及びコンセント用開口２２７が形成されている。スイッチ用開口２２１は送風装置１０の起動／停止用のスイッチ１１（図１、図２参照）を取付けるための開口であり、芳香剤用開口２２３はケース２０内に芳香剤Ｈを収納するための開口である。空気吹出し口２２５は、空気を吹出すための開口であり、ケース２０（右側ケース片２２）の前面板２２ｆの中央上部位置から下部位置まで上下方向に延びるスリット状に形成されている。また、コンセント用開口２２７は、コンセント１３ａ（図１、図２参照）を取付けるための開口である。
さらに、ケース２０（右側ケース片２２）の右側面板２２ｓには、図１、図３に示すように、中央位置から下部位置にかけて複数の空気吸引口２２９が形成されている。
また、ケース２０（右側ケース片２２）の背面板２２ｂには、背面側コンセント１３ｂ（図８参照、他の図では省略）を取付けるための開口が形成されている。
【００１７】
ケース２０（右側ケース片２２）の前面板２２ｆには、図３に示すように、その前面板２２ｆと等しい形状の装飾板２５が重ねられた状態で固定される。装飾板２５には、図２、図３に示すように、ケース２０の前面板２２ｆのスイッチ用開口２２１、芳香剤用開口２２３、空気吹出し口２２５、及びコンセント用開口２２７に対応する位置に、スイッチ用開口２５１、芳香剤用開口２５３、空気吹出し口２５５、及びコンセント用開口２５７が形成されている。
そして、装飾板２５の芳香剤用開口２５３には、角蓋部２５ｆがその芳香剤用開口２５３を開閉可能な構成で設けられており、その角蓋部２５ｆの裏側に芳香剤Ｈを収納する収納部（図示省略）が設けられている。
また、装飾板２５の空気吹出し口２５５には、その空気吹出し口２５５から一定寸法だけ前方に突出するスリット状ノズル４８が装飾板２５の裏側から嵌め込まれている。
即ち、スリット状ノズル４８が本発明の空気吹出し口として機能するようになる。
【００１８】
＜縦長ファン３０について＞
縦長ファン３０は、図３〜図６に示すように、略軸状に形成されて、軸心回りに回転可能な構成の羽根３２と、その羽根３２を回転可能な状態で収納するファンケース３４と、ファンケース３４の上端位置に設置されて前記羽根３２を回転させるモータ３６とから構成されている。
羽根３２は、図５、図６に示すように、その羽根３２の中心軸方向に延びる回転中心軸３２ｊを備えており、その回転中心軸３２ｊの両端部（上下端部）がファンケース３４の上下端に設けられた軸受部３４ｕによって回転自在に支持されている。そして、羽根３２の外周面に、図６に示すように、軸方向に延びる板状の羽根片３２ｔが円周方向に等間隔で多数本設けられている。
ファンケース３４は、羽根３２を収納する角筒状のケースであり、図５に示すように、右面側と前面側とが開放されている。そして、ファンケース３４が送風装置１０のケース２０に収納された状態で、ファンケース３４の右側面がそのケース２０の空気吸引口２２９の位置に配置されるようになる。さらに、ファンケース３４の前面側には空気ダクト４０が連結される。
上記構成により、縦長ファン３０のモータ３６が起動されて羽根３２が、図６に示すように、左回転すると、ケース２０の空気吸引口２２９、ファンケース３４の右面側開放部分からファンケース３４内に空気が吸引される。そして、ファンケース３４内に吸引された空気が羽根３２の回転により加圧され、ファンケース３４の前面側開放部分から上下方向においてほぼ均一に吹出される（図５の矢印参照）。
【００１９】
＜空気ダクト４０について＞
空気ダクト４０は、縦長ファン３０のファンケース３４の前側開放部分から吹出された空気を送風装置１０のケース２０の空気吹出し口２２５、スリット状ノズル４８まで案内するダクトである。空気ダクト４０は、基端部側に設けられた縦長角筒部４３と、その縦長角筒部４３よりも先端側に設けられた台形状の拡開角筒部４５とから構成されている。空気ダクト４０の縦長角筒部４３の縦寸法は、図４、図７等に示すように、縦長ファン３０のファンケース３４の縦寸法よりも一定寸法だけ小さく設定されており、縦長角筒部４３の幅寸法がファンケース３４の前面側開放部分の幅寸法にほぼ等しく設定されている。そして、空気ダクト４０の縦長角筒部４３には、図７に示すように、ファンケース３４側の端部に上方、及び下方に突出する角形のフランジ部４３ｆが形成されている。そして、縦長角筒部４３のフランジ部４３ｆが縦長ファン３０のファンケース３４の前面側にネジ止めされることで、空気ダクト４０は縦長ファン３０に連結される。また、縦長角筒部４３の上側のフランジ部４３ｆには、複数のスリット４３ｓが形成されており、これらのスリット４３ｓを介して縦長ファン３０内の空気を放出できるように構成されている。これにより、縦長ファン３０のモータ３６の冷却を行えるようになる。
即ち、前記スリット４３ｓが本発明の空気放出部に相当する。
【００２０】
空気ダクト４０の拡開角筒部４５は、図３、図７等に示すように、縦長角筒部４３に対して上下方向に拡開している。また、拡開角筒部４５は、図５に示すように、基端部側の幅寸法が縦長角筒部４３の幅寸法と等しい値に設定されており、先端に近づくにつれて幅寸法が徐々に小さくなるように構成されている。即ち、拡開角筒部４５の位置で空気ダクト４０の空気流路が絞られている。
そして、空気ダクト４０の拡開角筒部４５の先端における上下寸法、及び幅寸法がケース２０の前面板２２ｆに形成された空気吹出し口２２５の上下寸法、及び幅寸法にほぼ等しく設定されて、その拡開角筒部４５の先端が前面板２２ｆの空気吹出し口２２５に嵌合可能なように構成されている。
空気ダクト４０は、図３に示すように、右ダクト片４０ｒと左ダクト片４０ｆとの二分割構造であり、右ダクト片４０ｒと左ダクト片４０ｆとが合わされて周縁がネジ止めされることで、中空筒状に形成される。
【００２１】
空気ダクト４０の左ダクト片４０ｆには、図４等に示すように、高さ方向中央位置に、水平ガイド壁４７ｈが縦長角筒部４３から拡開角筒部４５の先端まで水平に延びるように形成されている。また、左ダクト片４０ｆには、水平ガイド壁４７ｈの下側流路をほぼ二分する位置に、下向ガイド壁４７ｄが縦長角筒部４３から拡開角筒部４５の先端まで斜め下向きに延びるように形成されている。さらに、左ダクト片４０ｆには、水平ガイド壁４７ｈの上側流路をほぼ二分する位置に、上向ガイド壁４７ｕが縦長角筒部４３から拡開角筒部４５の先端まで斜め上向きに延びるように形成されている。
【００２２】
＜電気回路５０について＞
縦長ファン３０のモータ３６を駆動させる電気回路５０は、図８に示すように、島設備２に設けられた交流電源のコンセント（図示省略）に接続されるプラグ付コード５１を備えている。そして、プラグ付きコード５１の端部が送風装置１０のケース２０内に設けられた電源端子Ｔ１，Ｔ２に接続されている。電源端子Ｔ１，Ｔ２には、ヒューズ５４を介して送風装置１０の起動／停止用のスイッチ１１と縦長ファン３０のモータ３６とが直列に接続されている。さらに、起動／停止用のスイッチ１１、及びモータ３６に対して並列に二個のコンセント１３ａ，１３ｂが接続されている。
上記構成により、島設備２のコンセントにプラグ付コード５１のプラグ５１ｐを接続して、ケース２０前面の起動／停止用のスイッチ１１をオンすることで、縦長ファン３０を起動させることができる。
【００２３】
＜送風装置１０の動作について＞
次に、上記した送風装置１０の動作について説明する。
送風装置１０を動作させるには、上記したように、ケース２０の前面上部の起動／停止用のスイッチ１１をオン操作する。これにより、縦長ファン３０が起動して外気がケース２０の複数の空気吸引口２２９からファンケース３４の内側に吸引される。ファンケース３４の内側に吸引された空気は羽根３２により加圧された後、そのファンケース３４の前面側開放部分から高さ方向においてほぼ均一に放出される。そして、ファンケース３４の前面側開放部分から放出された空気が空気ダクト４０の縦長角筒部４３、拡開角筒部４５を通過し、ケース２０の前面に設けられたスリット状ノズル４８から前方に向かって吹出されるようになる。
ここで、空気ダクト４０の拡開角筒部４５は、図５に示すように、基端部側の幅寸法が縦長角筒部４３の幅寸法と等しい値に設定されており、先端に近づくにつれて幅寸法が徐々に小さくなるように構成されている。即ち、拡開角筒部４５の位置で空気ダクト４０の空気流路が絞られている。このため、空気が拡開角筒部４５を通過する過程で空気の流速は徐々に増加し、スリット状ノズル４８から前方に向かって吹出す空気の流速が大きくなる。
【００２４】
さらに、空気ダクト４０の拡開角筒部４５は、図３、図７等に示すように、縦長角筒部４３に対して上下方向に拡開するとともに、空気ダクト４０の内部には水平ガイド壁４７ｈ、下向ガイド壁４７ｄ、及び上向ガイド壁４７ｕが設けられている。このため、空気ダクト４０を通過する空気を確実に水平前方、下前方、及び上前方に導くことができ、高さ方向に広い範囲で均一に空気を吹出せるようになる。
したがって、高性能のエアーカーテンを形成できる。
また、空気ダクト４０の縦長角筒部４３の上側に設けられたフランジ部４３ｆにはスリット４３ｓが形成されているため、それらのスリット４３ｓから縦長ファン３０により加圧された空気の一部が放出される。これにより、縦長ファン３０のモータ３６が冷却されてモータ３６の過熱を抑えることができる。
【００２５】
＜本実施形態に係る送風装置１０の長所について＞
本実施形態に係る送風装置１０によると、縦長ファン３０の羽根３２は、略軸状に形成されて、軸心回りに回転可能な構成であり、軸心方向を上下方向に一致させた状態でケース２０内に設置されている。このため、縦長ファン３０の運転時にケース２０内の上下方向で空気圧の強弱が生じ難くなる。
さらに、縦長ファン３０により圧送された空気を空気吹出し口２２５、スリット状ノズル４８まで導く空気ダクト４０は、縦長ファン３０の位置から空気吹出し口２２５までの間で空気流路を徐々に絞れるように構成されている。このため、空気吹出し口２２５、スリット状ノズル４８から前方に向かって吹出される空気の流速が大きくなる。
即ち、空気吹出し口２２５、スリット状ノズル４８から空気を大きな流速で、かつ上下方向に均一に吹出せるようになり、高性能のエアーカーテンを形成できる。
【００２６】
また、空気ダクト４０は、縦長ファン３０の位置から空気吹出し口２２５、スリット状ノズル４８までの間で上下方向に拡開するように構成されているため、高さ方向に広い範囲で空気を吹出せるようになる。
さらに、空気ダクト４０の内部には、水平ガイド壁４７ｈ、下向ガイド壁４７ｄ、及び上向ガイド壁４７ｕとが設けられているため、空気ダクト４０を通る空気を確実に水平前方、下前方、及び上前方に導くことができる。
また、空気ダクト４０には、縦長ファン３０を駆動させるモータ３６の近傍にスリット４３ｓ（空気放出部）が形成されているため、モータ３６の近傍で空気が放出されるようになり、そのモータ３６を冷却できるようになる。
【００２７】
＜変更例＞
ここで、本発明は上記実施形態に限定されるものではなく、本発明の要旨を逸脱しない範囲における変更が可能である。例えば、本実施形態では、空気ダクト４０の拡開角筒部４５を、図４に示すように、上下方向に対称に拡開させる例を示した。しかし、空気ダクト４０の拡開角筒部４５を上側で小さく、下側で大きく拡開させることも可能である。逆に、空気ダクト４０の拡開角筒部４５を上側で大きく、下側で小さく拡開させることも可能である。
また、本実施形態では、縦長ファン３０の上側にモータ３６を設け、空気ダクト４０の上側のフランジ部４３ｆに空気を放出するスリット４３ｓを形成する例を示した。しかし、縦長ファン３０の下側にモータ３６を設け、空気ダクト４０の下側のフランジ部４３ｆに空気を放出するスリット４３ｓを形成することも可能である。
また、本実施形態では、空気ダクト４０内に水平ガイド壁４７ｈ、下向ガイド壁４７ｄ、及び上向ガイド壁４７ｕを形成する例を示した。しかし、ガイド壁４７ｈ，４７ｄ，４７ｕを増やすことも可能であるし、部分的にガイド壁４７ｈ，４７ｄ，４７ｕを集中させることも可能である。
また、本実施形態では、パチンコ機５間に設置される送風装置１０について説明したが、スロットマシンや他の遊技機間に設置される送風装置に本発明を適用することも可能である。
【符号の説明】
【００２８】
１０・・・・送風装置
１１・・・・スイッチ
２０・・・・ケース
３０・・・・縦長ファン（ファン）
３２・・・・羽根
３６・・・・モータ
４０・・・・空気ダクト
４３ｓ・・・スリット（空気放出部）
４７ｕ・・・上向ガイド壁
４７ｄ・・・下向ガイド壁
４７ｈ・・・水平ガイド壁
４８・・・・スリット状ノズル（空気吹出し口）
２２５・・・空気吹出し口
２５５・・・空気吹出し口
【図１】
2015073788.tif 000003
【図２】
2015073788.tif 000004
【図３】
2015073788.tif 000005
【図４】
2015073788.tif 000006
【図５】
2015073788.tif 000007
【図６】
2015073788.tif 000008
【図７】
2015073788.tif 000009
【図８】
2015073788.tif 000010
【図９】
2015073788.tif 000011
【図１０】
2015073788.tif 000012